(57)【要約】【課題】状況に応じた適切な位置で吸引孔から眼球上の液体を吸引することができる眼球用吸引具及び吸引具付開瞼器を提供する。【解決手段】眼球３０上の液体を吸引するための吸引孔１１１が形成された吸引管１１を、可撓性を有する長尺部材により構成する。吸引孔１１１へと吸引される眼球３０上の液体を通過させるフィルタ部材１３を、吸引孔１１１を覆うように吸引管１１に取り付ける。可撓性を有する吸引管１１を用いることにより、吸引管１１を状況に応じて変形させることができるため、状況に応じた適切な位置で吸引孔１１１から眼球３０上の液体を吸引することができる。また、眼球３０上の液体がフィルタ部材１３を介して吸引孔１１１へと吸引されるため、結膜などが誤吸引されるのをフィルタ部材１３により阻止することができ、誤吸引を効果的に防止することができる。【選択図】  図２
2014104087.tif 000002
【特許請求の範囲】
【請求項１】
眼球上の液体を吸引するための眼球用吸引具であって、
可撓性を有する長尺部材からなり、眼球上の液体を吸引するための吸引孔が形成された吸引管と、
前記吸引孔を覆うように前記吸引管に取り付けられ、前記吸引孔へと吸引される眼球上の液体を通過させるフィルタ部材とを備えたことを特徴とする眼球用吸引具。
【請求項２】
可撓性を有する長尺部材からなり、眼球上に液体を供給するための供給孔が形成された供給管をさらに備え、
前記吸引管と前記供給管とが一体的に構成されていることを特徴とする請求項１に記載の眼球用吸引具。
【請求項３】
前記供給孔は、放射状又は霧状に液体を供給できるように形成されていることを特徴とする請求項２に記載の眼球用吸引具。
【請求項４】
前記フィルタ部材は、前記吸引管に被せられる筒状の部材からなり、その軸線方向の中央部の外径が小さくなるように、当該中央部近傍に窪みが形成されていることを特徴とする請求項１〜３のいずれかに記載の眼球用吸引具。
【請求項５】
請求項１〜４のいずれかに記載の眼球用吸引具と、
前記眼球用吸引具が取り付けられ、眼瞼を開いた状態で保持するための開瞼器とを備えたことを特徴とする吸引具付開瞼器。
【請求項６】
前記開瞼器は、上眼瞼を保持する上保持部と、下眼瞼を保持する下保持部とを備え、
前記眼球用吸引具は、前記下保持部に取り付けられていることを特徴とする請求項５に記載の吸引具付開瞼器。
【発明の詳細な説明】
【技術分野】
【０００１】
本発明は、眼球上の液体を吸引するための眼球用吸引具及び吸引具付開瞼器に関するものである。
【背景技術】
【０００２】
眼球の手術や治療を行う場合などには、眼瞼を開いた状態で保持するための開瞼器が用いられる（例えば、下記特許文献１参照）。開瞼器により眼瞼を開いた状態では眼球が乾燥するため、通常、生理食塩水などの液体を眼球上に供給することにより、眼球の乾燥を防止するとともに、不要な血液や不純物などを洗い流すことができるようになっている（例えば、下記特許文献２参照）。
【０００３】
眼球上に供給された液体は、眼球上に溜まり過ぎて術野が不明瞭にならないように吸引される。一般的には、術者が手術や治療を行っている傍らで、眼球上に液体を供給する作業、及び、眼球上の液体を吸引する作業を助手が行うこととなる。これに対して、下記特許文献２では、眼球に液体を供給する作業を術者自身が行うことができるような構成が開示されている。
【先行技術文献】
【特許文献】
【０００４】
【特許文献１】特開２０１１−５５９９０号公報
【特許文献２】特開２００３−２５０８３２号公報
【発明の概要】
【発明が解決しようとする課題】
【０００５】
眼球上の液体を吸引する作業を助手が行うのは効率が悪いため、自動的に吸引することができるような構成が望ましい。そこで、開瞼器自体に吸引孔を形成し、当該吸引孔から眼球上の液体を吸引することができるような構成も提案されている。
【０００６】
しかしながら、上記のような構成では、開瞼器の定められた位置に吸引孔が形成されているため、状況によっては眼球上の液体を良好に吸引できないような場合も生じ得る。そのため、状況に応じた適切な位置で吸引孔から眼球上の液体を吸引することができるような構成が望ましい。
【０００７】
また、開瞼器に吸引孔を単に形成しただけでは、結膜などを誤吸引してしまうおそれがある。この場合、患者にとって好ましくないだけでなく、開瞼器に形成されている吸引孔が目詰まりする可能性があるなど、開瞼器自体の故障の原因にもなり兼ねないといった問題がある。
【０００８】
本発明は、上記実情に鑑みてなされたものであり、状況に応じた適切な位置で吸引孔から眼球上の液体を吸引することができる眼球用吸引具及び吸引具付開瞼器を提供することを目的とする。また、本発明は、誤吸引を効果的に防止することができる眼球用吸引具及び吸引具付開瞼器を提供することを目的とする。
【課題を解決するための手段】
【０００９】
本発明に係る眼球用吸引具は、眼球上の液体を吸引するための眼球用吸引具であって、可撓性を有する長尺部材からなり、眼球上の液体を吸引するための吸引孔が形成された吸引管と、前記吸引孔を覆うように前記吸引管に取り付けられ、前記吸引孔へと吸引される眼球上の液体を通過させるフィルタ部材とを備えたことを特徴とする。
【００１０】
このような構成によれば、可撓性を有する吸引管を用いることにより、吸引管を状況に応じて変形させることができるため、状況に応じた適切な位置で吸引孔から眼球上の液体を吸引することができる。また、眼球上の液体がフィルタ部材を介して吸引孔へと吸引されるため、結膜などが誤吸引されるのをフィルタ部材により阻止することができ、誤吸引を効果的に防止することができる。
【００１１】
前記眼球用吸引具は、可撓性を有する長尺部材からなり、眼球上に液体を供給するための供給孔が形成された供給管をさらに備えていてもよい。この場合、前記吸引管と前記供給管とが一体的に構成されていてもよい。
【００１２】
このような構成によれば、吸引管と供給管とを一体的に構成することにより、供給管による眼球上への液体の供給と、吸引管による眼球上の液体の吸引とを円滑に行うことができる。特に、吸引管と供給管とを一体的に構成することにより、吸引孔及び供給孔の位置関係を予め設定することが可能になるため、状況に応じたより適切な位置で吸引孔から眼球上の液体を吸引することができる。例えば、供給孔から角膜に対して斜めに液体が供給されるように設定した場合には、術者にとって液体の供給が術野の妨げになるのを防止することができる。
【００１３】
前記供給孔は、放射状又は霧状に液体を供給できるように形成されていてもよい。
【００１４】
このような構成によれば、供給孔から放射状又は霧状に液体を供給することにより、眼球上の広い範囲に液体を供給することができる。これにより、眼球の乾燥を効果的に防止することができるとともに、不要な血液や不純物などを良好に洗い流すことができる。
【００１５】
供給孔から放射状又は霧状に液体を供給するような構成の場合、供給孔から液体を供給する角度や、当該角度と吸引孔の位置との関係などの設定が容易ではなくなる場合があるが、吸引管と供給管とを一体的に構成することにより、このような設定を良好に行うことができる。したがって、状況に応じたより適切な位置で吸引孔から眼球上の液体を吸引することができる。
【００１６】
前記フィルタ部材は、前記吸引管に被せられる筒状の部材からなり、その軸線方向の中央部の外径が小さくなるように、当該中央部近傍に窪みが形成されていてもよい。
【００１７】
このような構成によれば、フィルタ部材の中央部近傍に窪みが形成され、フィルタ部材の軸線方向の中央部の外径が小さくなっているため、本発明に係る眼球用吸引具を眼瞼に沿って配置したときに、より広い術野を確保することができる。また、本発明に係る眼球用吸引具を開瞼器に取り付けるような場合には、フィルタ部材の中央部近傍に窪みが形成されていることにより、当該眼球用吸引具を安定して保持することができる。
【００１８】
本発明に係る吸引具付開瞼器は、前記眼球用吸引具と、前記眼球用吸引具が取り付けられ、眼瞼を開いた状態で保持するための開瞼器とを備えたことを特徴とする。
【００１９】
このような構成によれば、可撓性を有する吸引管を状況に応じて変形させた状態で開瞼器に取り付けることができる。したがって、開瞼器により眼瞼を開いた状態で保持しつつ、状況に応じた適切な位置で吸引孔から眼球上の液体を吸引することができる。
【００２０】
前記開瞼器は、上眼瞼を保持する上保持部と、下眼瞼を保持する下保持部とを備えていてもよい。この場合、前記眼球用吸引具は、前記下保持部に取り付けられていてもよい。
【００２１】
このような構成によれば、開瞼器に対して眼球用吸引具をより適切な位置に取り付けることができる。すなわち、眼球の手術や治療を行う場合などには、術者が患者の頭上側から作業を行うため、下眼瞼を保持する下保持部に眼球用吸引具を取り付けることにより、眼球用吸引具が作業の邪魔になるのを防止することができる。
【発明の効果】
【００２２】
本発明によれば、可撓性を有する吸引管を用いることにより、吸引管を状況に応じて変形させることができるため、状況に応じた適切な位置で吸引孔から眼球上の液体を吸引することができる。また、本発明によれば、眼球上の液体がフィルタ部材を介して吸引孔へと吸引されるため、誤吸引を効果的に防止することができる。
【図面の簡単な説明】
【００２３】
【図１】本発明の一実施形態に係る眼球用吸引具の構成例について説明するための概略斜視図である。
【図２】眼球用吸引具が開瞼器に取り付けられた状態を示す概略平面図である。
【図３】眼球用吸引具が開瞼器に取り付けられた状態を示す概略断面図である。
【図４】眼球用吸引具の変形例について説明するための概略斜視図である。
【発明を実施するための形態】
【００２４】
図１は、本発明の一実施形態に係る眼球用吸引具１の構成例について説明するための概略斜視図である。この眼球用吸引具１は、眼球の手術や治療を行う場合などに、眼球上の液体を吸引するためのものであり、例えば吸引管１１、供給管１２及びフィルタ部材１３などを備えている。
【００２５】
吸引管１１は、例えばポリエチレンなどにより形成された可撓性を有する長尺部材からなり、眼球上の液体を吸引するための吸引孔１１１が形成されている。吸引管１１の直径は２ｍｍ程度であり、吸引孔１１１の直径は０．５ｍｍ程度である。ただし、吸引管１１の材料及び直径、並びに、吸引孔１１１の直径は、これらに限定されるものではない。
【００２６】
吸引孔１１１は、吸引管１１の一端部に、所定の間隔を隔てて複数形成されている。この例では、３つの吸引孔１１１が１０ｍｍ程度の間隔を隔てて形成されることにより、眼球に対して横方向の中央部とその両側において、各吸引孔１１１から眼球上の液体を吸引することができるようになっている。ただし、吸引孔１１１の数は、３つに限らず、２つ以下であってもよいし、４つ以上であってもよい。
【００２７】
吸引管１１の他端部には、吸引器（図示せず）が接続される。この吸引器を駆動させることにより、眼球上の液体を吸引孔１１１から吸引管１１内に吸引し、当該吸引管１１内を通過させて他端部側へと送ることができる。
【００２８】
供給管１２は、例えばポリエチレンなどにより形成された可撓性を有する長尺部材からなり、眼球上に液体を供給するための供給孔１２１が形成されている。供給管１２の直径は２ｍｍ程度である。ただし、供給管１２の材料及び直径は、これらに限定されるものではない。
【００２９】
供給管１２の一端部は、屈曲又は湾曲した形状とされることにより、供給アーム１２２を構成している。供給孔１２１は、供給アーム１２２に形成されており、この例では、供給アーム１２２の先端部に１つの供給孔１２１が形成された構成となっている。ただし、このような構成に限らず、供給アーム１２２に２つ以上の供給孔１２１が形成された構成であってもよいし、屈曲形状又は湾曲形状の供給アーム１２２が備えられていないような構成であってもよい。
【００３０】
供給管１２の他端部には、供給器（図示せず）が接続される。この供給器を駆動させることにより、供給管１２の他端部側から供給管１２内に液体を通過させ、供給管１２の一端部に形成された供給孔１２１から眼球上に液体を供給することができる。供給器としては、例えばシリンジ、フットポンプ又は自動供給装置などの各種装置を用いることができる。また、供給器から供給する液体としては、例えば生理食塩水などを用いることができる。
【００３１】
フィルタ部材１３は、吸引管１１の吸引孔１１１へと吸引される眼球上の液体を通過させるためのものであり、例えばセルローススポンジなどの吸水性を有する材料により形成することができる。フィルタ部材１３は、少なくとも吸引孔１１１を覆うように吸引管１１に取り付けられる。
【００３２】
この例では、フィルタ部材１３が筒状の部材からなり、吸引管１１及び供給管１２に被せられることにより、吸引管１１と供給管１２とが一体的に構成されている。なお、供給管１２の供給アーム１２２は、フィルタ部材１３の外側に突出している。
【００３３】
ただし、フィルタ部材１３の材料及び形状は、これらに限定されるものではない。また、フィルタ部材１３が吸引管１１に取り付けられ、供給管１２がフィルタ部材１３の外側に設けられた構成などであってもよい。このような場合には、フィルタ部材１３以外の部材を用いて吸引管１１と供給管１２とを一体的に構成することもできるが、吸引管１１と供給管１２とを一体的に構成しないことも可能である。
【００３４】
図２は、眼球用吸引具１が開瞼器２に取り付けられた状態を示す概略平面図である。また、図３は、眼球用吸引具１が開瞼器２に取り付けられた状態を示す概略断面図である。開瞼器２は、図２及び図３に示すように、眼瞼を開いた状態で保持するためのものであり、当該開瞼器２に眼球用吸引具１を取り付けることにより、吸引具付開瞼器を提供することができる。
【００３５】
開瞼器２は、上眼瞼３１を保持する上保持部２１と、下眼瞼３２を保持する下保持部２２とを備えている。上保持部２１及び下保持部２２は、それぞれＵ字状に湾曲した形状に形成されており、この湾曲した部分に上眼瞼３１及び下眼瞼３２の縁をそれぞれ入り込ませるようにして保持することができるようになっている。
【００３６】
本実施形態では、眼球用吸引具１が、開瞼器２の下保持部２２に取り付けられている。より具体的には、下保持部２２の湾曲した部分に眼球用吸引具１を入り込ませるようにして取り付けることにより、下保持部２２で保持される下眼瞼３２の縁に沿って、眼球用吸引具１が変形（湾曲）した状態で配置されるようになっている。
【００３７】
この状態では、図２に示すように、吸引管１１の３つの吸引孔１１１が、下眼瞼３２の縁に対して横方向の中央部とその両側に位置するとともに、供給管１２の供給アーム１２２が、下眼瞼３２の縁における鼻側に位置している。また、図３に示すように、供給管１２の供給アーム１２２は、供給孔１２１が眼球３０の中央部側を向くように配置され、供給孔１２１から放射状又は霧状に液体が供給されるようになっている。
【００３８】
以上のように、本実施形態では、可撓性を有する吸引管１１を用いることにより、吸引管１１を状況に応じて変形させることができるため、状況に応じた適切な位置で吸引孔１１１から眼球３０上の液体を吸引することができる。また、眼球３０上の液体がフィルタ部材１３を介して吸引孔１１１へと吸引されるため、結膜などが誤吸引されるのをフィルタ部材１３により阻止することができ、誤吸引を効果的に防止することができる。
【００３９】
本実施形態のように、吸引管１１と供給管１２とを一体的に構成することにより、供給管１２による眼球３０上への液体の供給と、吸引管１１による眼球３０上の液体の吸引とを円滑に行うことができる。特に、吸引管１１と供給管１２とを一体的に構成することにより、吸引孔１１１及び供給孔１２１の位置関係を予め設定することが可能になるため、状況に応じたより適切な位置で吸引孔１１１から眼球３０上の液体を吸引することができる。
【００４０】
供給孔１２１から眼球３０上への液体の供給は、例えば術野の角膜に対して約４５〜６０°の角度で傾斜する方向から供給されるような構成であってもよい。このように、供給孔１２１から角膜に対して斜めに液体が供給されるように設定した場合には、術者にとって液体の供給が術野の妨げになるのを防止することができる。
【００４１】
また、本実施形態では、供給孔１２１から放射状又は霧状に液体を供給することにより、眼球３０上の広い範囲に液体を供給することができる。これにより、眼球３０の乾燥を効果的に防止することができるとともに、不要な血液や不純物などを良好に洗い流すことができる。
【００４２】
供給孔１２１から放射状又は霧状に液体を供給するような構成の場合、供給孔１２１から液体を供給する角度や、当該角度と吸引孔１１１の位置との関係などの設定が容易ではなくなる場合があるが、吸引管１１と供給管１２とを一体的に構成することにより、このような設定を良好に行うことができる。したがって、状況に応じたより適切な位置で吸引孔１１１から眼球３０上の液体を吸引することができる。ただし、供給孔１２１から眼球３０上への液体の供給は、放射状又は霧状に供給されるような態様に限られるものではない。
【００４３】
例えば、図３の例では、図中に矢印で示すような液体の流れが生じるため、眼球３０全体にわたって安定して液体を供給し、吸引することができる。特に、図２に示すように、患者の鼻側に位置する供給アーム１２２から眼球３０に向けて液体を供給するような構成の場合には、供給した液体が目尻側に安定して流れ、吸引孔１１１から良好に吸引されるため、液体が溜まりやすい目頭側に液体が大量に溜まり、術野が不明瞭になるのを防止することができる。
【００４４】
本実施形態のように、眼球用吸引具１を開瞼器２に取り付けて吸引具付開瞼器とする場合には、可撓性を有する吸引管１１を状況に応じて変形させた状態で開瞼器２に取り付けることができる。したがって、開瞼器２により眼瞼を開いた状態で保持しつつ、状況に応じた適切な位置で吸引孔１１１から眼球３０上の液体を吸引することができる。
【００４５】
特に、本実施形態では、開瞼器２に対して眼球用吸引具１をより適切な位置に取り付けることができる。すなわち、眼球３０の手術や治療を行う場合などには、術者が患者の頭上側から作業を行うため、下眼瞼３２を保持する下保持部２２に眼球用吸引具１を取り付けることにより、眼球用吸引具１が作業の邪魔になるのを防止することができる。
【００４６】
図４は、眼球用吸引具１の変形例について説明するための概略斜視図である。上述の通り、フィルタ部材１３の形状としては、任意の形状を採用することができ、吸引管１１に形成された吸引孔１１１の数についても、任意の数を採用することができる。
【００４７】
この変形例では、筒状の部材からなるフィルタ部材１３の軸線方向Ｄの中央部の外径が小さくなるように、当該中央部近傍に窪み１３１が形成されている。これにより、眼球用吸引具１を眼瞼に沿って配置したときに、より広い術野を確保することができる。この例では、窪み１３１が滑らかな曲面により形成されているが、これに限定されるものではない。
【００４８】
また、この眼球用吸引具１を開瞼器２に取り付けるような場合には、フィルタ部材１３の中央部近傍に窪み１３１が形成されていることにより、当該眼球用吸引具１を安定して保持することができる。例えば、この眼球用吸引具１は、フィルタ部材１３の窪み３１の両端部が開瞼器２の下保持部２２に引っ掛かるようにして取り付けられることが好ましい。
【００４９】
以上の実施形態及び変形例では、眼球用吸引具１が、開瞼器２に取り付けられて吸引具付開瞼器として提供されるような構成について説明した。しかし、このような構成に限らず、眼球用吸引具１を単体で提供することも可能である。
【符号の説明】
【００５０】
１    眼球用吸引具
２    開瞼器
１１    吸引管
１２    供給管
１３    フィルタ部材
２１    上保持部
２２    下保持部
３０    眼球
３１    上眼瞼
３２    下眼瞼
１１１    吸引孔
１２１    供給孔
１２２    供給アーム
１３１    窪み
【図１】
2014104087.tif 000003
【図２】
2014104087.tif 000004
【図３】
2014104087.tif 000005
【図４】
2014104087.tif 000006